(57)【要約】【課題】ユーザが少なくとも一部を視聴した番組に関する多様な関連情報を提供することができる表示装置を実現する。【解決手段】表示装置（１０）は、番組の放送中又は放送後に当該番組の放送内容に基づいて生成された関連情報を取得する関連情報取得部（１５）を備え、上記関連情報の情報源は複数存在し、上記情報源に応じた表示態様にて関連情報を表示部（１３）に表示させる表示制御部（１２）を更に備えている構成である。【選択図】図１
2019047322.tif 000002
【特許請求の範囲】
【請求項１】
番組の放送中又は放送後に当該番組の放送内容に基づいて生成された関連情報を取得する関連情報取得部を備え、
上記関連情報の情報源は複数存在し、
上記情報源に応じた表示態様にて関連情報を表示部に表示させる表示制御部を更に備えていることを特徴とする表示装置。
【請求項２】
上記関連情報とは、ユーザが少なくとも一部を視聴した番組に関する関連情報であることを特徴とする請求項１に記載の表示装置。
【請求項３】
上記表示制御部は、画面表示の終了に起因して上記関連情報を上記表示部に表示させることを特徴とする請求項１または２に記載の表示装置。
【請求項４】
上記表示制御部は、上記関連情報を取得したことに起因して、上記関連情報又は上記関連情報を取得した旨の情報を上記表示部に表示させることを特徴とする請求項１または２に記載の表示装置。
【請求項５】
上記表示制御部は、上記関連情報を取得したことに起因して画面を表示し、上記関連情報を表示部に表示させることを特徴とする請求項１または２に記載の表示装置。
【請求項６】
上記表示制御部は、画面表示の開始に起因して上記関連情報を表示部に表示させることを特徴とする請求項１または２に記載の表示装置。
【請求項７】
請求項１から請求項６までの何れか１項に記載の表示装置を備えていることを特徴とするテレビジョン受像機。
【請求項８】
番組の放送中又は放送後に当該番組の放送内容に基づいて生成された関連情報を記憶する記憶部を備え、
上記関連情報の情報源は複数存在し、
上記情報源に応じて上記関連情報の表示態様を決定し、上記関連情報に上記表示態様を示す情報を付与する態様決定部と
上記表示態様を示す情報が付された関連情報を表示装置に出力する関連情報出力部と
を更に備えていることを特徴とする情報処理装置。
【請求項９】
請求項１から請求項６の何れか１項に記載の表示装置と、
上記関連情報を出力する情報処理装置と、
を備えた表示システム。
【請求項１０】
請求項１から請求項５の何れか１項に記載の表示装置としてコンピュータを機能させるための制御プログラムであって、上記関連情報取得部及び上記表示制御部としてコンピュータを機能させるための制御プログラム。
【請求項１１】
請求項１０に記載の制御プログラムを記録したコンピュータ読み取り可能な記録媒体。
【発明の詳細な説明】
【技術分野】
【０００１】
本発明は表示装置、テレビジョン受像機、情報処理装置、表示システム、制御プログラム、および記録媒体に関する。
【背景技術】
【０００２】
従来、視聴者がテレビ番組を視聴していて欲しくなった商品、および音楽を簡単に入手することを可能とするシステムが知られている（例えば特許文献１参照）。これらのシステムでは、例えば視聴者が欲しいと思ったのが商品であれば、その商品が写っている画像を指示することによって、その商品を扱っている店舗の住所、店舗の地図、ＵＲＬ等を表示部に表示させることができる。
【０００３】
また、放送内容に基づいて生成された関連情報である所謂後メタ情報が、メタ情報作成の専門業者によって生成され、例えばインターネット経由で配信される技術が知られている。
【先行技術文献】
【特許文献】
【０００４】
【特許文献１】特開２００１−２５８０１１号公報（２００１年９月２１日公開）
【特許文献２】特開２００１−２４５２２４号公報（２００１年９月７日公開）
【発明の概要】
【発明が解決しようとする課題】
【０００５】
しかしながら、後メタ情報は、メタ情報作成の専門業者が番組の放送を視聴しながら生成するため、番組内で内容が明確に説明された商品およびスポット等の情報しか含まれなかった。そのため、例えばドラマ番組の放送中に映っただけの商品や、撮影場所等の一般的には分かりにくい情報は後メタ情報には含まれていなかった。一方で、番組の放送中に映っただけの商品等の放送中に紹介されないような情報も得たいという視聴者の要望があった。
【０００６】
本発明の一態様は、上記の課題を鑑みてなされたものであり、番組に関する多様な関連情報を提供することができる技術を実現することを目的とする。
【課題を解決するための手段】
【０００７】
上記の課題を解決するために、本発明の一態様に係る表示装置は、番組の放送中又は放送後に当該番組の放送内容に基づいて生成された関連情報を取得する関連情報取得部を備え、上記関連情報の情報源は複数存在し、上記情報源に応じた表示態様にて関連情報を表示部に表示させる表示制御部を更に備えている構成である。
【発明の効果】
【０００８】
本発明の一態様によれば、番組に関する多様な関連情報を提供することができる。
【図面の簡単な説明】
【０００９】
【図１】関連情報の抽出表示例１−１に係る表示システム１の機能ブロック図である。
【図２】表示画面への関連情報の表示例を示す図である。
【図３】関連情報の抽出表示例１−１に係る関連情報表示の流れを示す図である。
【図４】関連情報の抽出表示例１−１に係るシーケンス図である。
【図５】関連情報の抽出表示例１−２に係る表示システム１ａの機能ブロック図である。
【図６】関連情報の抽出表示例１−２に係るシーケンス図である。
【図７】関連情報の抽出表示例１−３に係るシーケンス図である。
【図８】関連情報の抽出表示例２に係る関連情報表示の流れを示す図である。
【図９】関連情報の抽出表示例３に係る関連情報表示の流れを示す図である。
【図１０】関連情報の抽出表示例４−１に係る関連情報表示の流れを示す図である。
【図１１】関連情報の抽出表示例４−１に係るシーケンス図である。
【図１２】関連情報の抽出表示例４−２に係る表示システム１ｂの機能ブロック図である。
【図１３】関連情報の抽出表示例４−２に係るシーケンス図である。
【図１４】関連情報の抽出表示例４−３に係る表示システム１ｃの機能ブロック図である。
【図１５】関連情報の抽出表示例４−３に係るシーケンス図である。
【図１６】関連情報の抽出表示例５に係る表示システム１ｄの機能ブロック図である。
【図１７】関連情報の抽出表示例６に係る関連情報表示の流れを示す図である。
【発明を実施するための形態】
【００１０】
〔実施形態〕
本発明の実施形態について図１〜図１７に基づいて説明すれば以下の通りである。
【００１１】
図１に基づいて本例に係る表示システム１の構成を説明する。
【００１２】
図１は本発明の本例に係る表示システム１の機能ブロック図である。
【００１３】
図１に示す通り、表示システム１はテレビジョン受像機３と情報処理装置２０とを備え、テレビジョン受像機３はチューナー４と表示装置１０とを備えている。
【００１４】
なお、一例として、情報処理装置２０は、テレビジョン受像機３とインターネット等の通信経路によって接続されるサーバとして実現される。ただし、本実施形態はこれに限定されるものではない。また、情報処理装置２０と表示装置１０とを一体として実現する構成、換言すれば、情報処理装置２０の機能を表示装置１０が実現する構成も本実施形態に含まれる。
【００１５】
表示装置１０は制御部１１、表示制御部１２、表示部１３、記憶部１４及び関連情報取得部１５を備えている。
【００１６】
制御部１１は、表示装置１０の各部に対する全般的な制御を行う。
【００１７】
表示制御部１２は、表示部１３を制御する。表示制御部１２は、例えば、番組、コマーシャルメッセージ及び関連情報等のコンテンツを表示部１３に表示する場合において、表示に関する制御を行う。なお、制御部１１が表示制御部１２を備えた構成であっても構わない。
【００１８】
表示部１３は、表示制御部１２の指示に基づき、表示画面の表示を行う。
【００１９】
関連情報取得部１５は、情報処理装置２０から関連情報の取得を行う。
【００２０】
記憶部１４は、ユーザの視聴履歴データ及び関連情報取得部１５が取得した関連情報データの保持を行う。
【００２１】
情報処理装置２０は、制御部２１、関連情報生成部２２、記憶部２３、関連情報出力部２４及び受信部２５を備えている。
【００２２】
制御部２１は、情報処理装置２０の各部に対する全般的な制御を行う。
【００２３】
関連情報生成部２２は、受信部２５が受信したメタ情報を含む各種情報に基づき各番組に関する関連情報の生成を行う。
【００２４】
記憶部２３は、関連情報生成部２２が生成した関連情報データを保持する。
【００２５】
関連情報出力部２４は、表示装置１０に対して関連情報の送信を行う。
【００２６】
ここで、本実施例における関連情報とは、ユーザが少なくとも一部を視聴した番組に関する情報であって、当該番組の放送中又は放送後に当該番組の放送内容に基づいて生成される。
【００２７】
例えば、コンテンツプロバイダ等は、メタ情報のうち、特に当該番組の放送中又は放送後に生成された所謂後メタ情報から、関連情報を生成し、ユーザに対し提供する。この場合、関連情報は、上記後メタ情報、及び上記後メタ情報に基づき生成された情報である。
【００２８】
受信部２５は、メタ情報配信装置２からメタ情報の受信を行う。また、受信部２５は、一般視聴者７から提供される提供情報の受信を行う。また、受信部２５は、ネットショッピング出店者８から提供される提供情報の受信を行う。受信部２５は、複数の一般視聴者７および複数のネットショッピング出店者８から提供される提供情報の受信を行ってもよい。
【００２９】
メタ情報配信装置２は、各番組の放送内容から抽出したメタ情報の配信元であり、例えば、番組の放送中又は放送後に当該番組お内容に関連したメタ情報であって、時系列に沿ったメタ情報を提供する装置等を指す。
【００３０】
一般視聴者７は、例えば、ドラマで映っただけの商品に関連する情報、たとえば、商品の名前、商品を扱っている店舗、商品の値段等の情報を知っていたり、ドラマの撮影場所等に関連するスポット情報等の番組の放送内容に関連する情報を有していたりする一般視聴者である。また、番組の放送中に紹介された店舗に関連する情報が、当該店舗から直接提供される場合に、当該情報を一般視聴者７からの情報として受信部２５が受信してもよい。
【００３１】
ネットショッピング出店者８は、番組の放送内容に関連した商品をインターネットショッピングサイトで販売しているものである。ネットショッピング出店者８は、番組の放送中に自らの店で販売している商品が映された場合に、商品および店のＵＲＬなどの情報を提供する。
【００３２】
メタ情報に関して更に説明すれば以下の通りである。メタ情報とは、一例として、放送されたテレビ番組やＣＭから抽出した内容を、テキスト化、データベース化したデータである。例えば、放送の音声を音声解析や手作業等によりテキスト化、又はデータベース化したデータであり、一例として、放送の５分〜２０分後に生成される。
【００３３】
メタ情報は、番組の放送時間より前に生成することも可能ではあるが、当然に番組の放送中または放送後の方がより詳細な情報を生成することが可能である。
【００３４】
以下、本明細書においてメタ情報とは、特にことわりのない限り、番組の放送中または放送後に生成された情報のことを指す。一例として、メタ情報は、番組データ、商品データ、店舗データ及びＣＭデータに大別でき、それぞれ以下のような情報を含み得る。以下では、番組の放送中または放送後に生成されたメタ情報を、後メタ情報とも呼称する。
・番組データ
・放送日、曜日、放送時間
・放送局、番組名
・番組放送時間
・ジャンル
・話題・コーナーの詳細情報
・話題・コーナーの開始・終了時間
・商品データ
・商品名、メーカー名
・価格、ＵＲＬ
・ジャンル
・商品概要
・店舗データ
・店舗名、住所
・店舗概要、ＵＲＬ
・放送での紹介状況
・ジャンル
・ＣＭデータ
・放送日、放送時間
・放送局
・ジャンル
・ＣＭ広告主企業
・ＣＭ商品名
また、後メタ情報及び後メタ情報を参照して生成された情報を、本明細書において関連情報という。関連情報は、上述のように、例えば、関連情報生成部２２によって生成される。また、関連情報には、上述のように一般視聴者７およびネットショッピング出店者８から提供される情報が含まれる。
【００３５】
続いて、表示制御部１２が表示部１３に表示させる関連情報表示画面７１について図２に基づいて説明する。
【００３６】
図２は後メタ情報を含む複数の情報源から提供された情報に基づき生成された関連情報の一例を含むカードの表示例である。図２に示したカード７１Ａ〜７１Ｄに含まれる情報は、放送中または放送後の番組の内容から抽出されたメタ情報から生成された関連情報である。例えば図２の７１Ａにおいては、データ名７２Ａ、商品ジャンル７２Ｂ、商品名７２Ｃ，放送時間７２Ｄ，放送局７２Ｅ、番組名７２Ｆ、及び情報提供者名７２Ｇを含む。
【００３７】
また、関連情報表示画面７１は、カード（図２に示す例においてはカード７１Ａ）に対応付けて、例えば『「いいね！」ボタン対象』というテキスト情報７２Ｈを含む場合がある。このテキスト情報７２Ｈは、ユーザの反応に応じて特定された反応タイミングに応じて定まる関連情報であることを示す情報である。テキスト情報７２Ｈは、例えば、ユーザにより、表示装置１０のリモコンの「いいね」ボタンが操作された番組の内容に関するカードを表示する場合に関連情報表示画面７１に含まれる。
【００３８】
また、関連情報表示画面７１に示すように、関連情報表示を終了させるまでの時間を表示しても構わない。
【００３９】
画面に表示する関連情報は図２に示す構成に限定されるものではなく、例えば当該関連情報がＵＲＬを含み、当該ＵＲＬを選択すると、ＵＲＬのページに画面が遷移するという構成でもよい。また、ＵＲＬにアフィリエイトコードが含まれている構成であってもよい。
【００４０】
また、関連情報として、後メタ情報に含まれる情報または提供者から提供された情報をそのまま用いる構成としてもよいし、後メタ情報および提供者から提供された情報に含まれる情報を参照したうえで、関連情報を生成する構成としてもよい。
【００４１】
後メタ情報または提供者から提供された情報に基づく関連情報の生成の一例として、
・制御部１１が、後メタ情報または提供者から提供された情報に含まれるリンク先情報を、例えばアフィリエイトに関する情報を含むように書き換えたうえで、関連情報として用いるという構成
・制御部１１が、後メタ情報または提供者から提供された情報に含まれる情報に文言を追加したうえで、関連情報として用いるという構成
などが挙げられる。
【００４２】
以下、各例ではユーザが少なくとも一部を視聴した関連情報を表示する構成について説明する。
【００４３】
＜関連情報の抽出表示例１−１＞
本例について、図１及び図３〜図４に基づいて説明すれば、以下の通りである。
【００４４】
本例においては、画面表示の終了に起因して関連情報を表示する表示装置の構成例について説明する。
【００４５】
図３は本例における関連情報表示の流れを示す図である。
【００４６】
図４は図３で示す処理において、ユーザが番組視聴を開始し、表示画面に関連情報が表示されるまでを示したシーケンス図であり、以下画面に関連情報が表示されるまで、図４のステップ番号ごとの説明を行う。
【００４７】
メタ情報配信装置２は、番組の放送中または放送後に当該番組の内容から抽出したメタ情報を時系列に沿って生成する。一般視聴者７、または、ネットショッピング出店者８は、番組の放送中または放送後に放送内容に関連する情報を、例えばインターネット上の投稿サイトや掲示板等に書き込むことにより生成する。情報処理装置２０が備える受信部２５は、メタ情報配信装置２、一般視聴者７、およびネットショッピング出店者８等の複数の情報源からの情報を受信する。（Ｓ１０１）
関連情報生成部２２は複数の情報源から受信した情報を参照し、番組の放送内容に関連した関連情報を生成する。なお、関連情報生成部２２によって生成された関連情報のそれぞれには、情報源を示す情報が含まれている。制御部２１は関連情報生成部２２が生成した関連情報を記憶部２３に格納する。（Ｓ１０２）
ユーザが所定の番組の視聴を行う場合、図３の８０Ａに示すように、表示制御部１２が表示部１３に当該番組の映像の表示を開始し、制御部１１は当該番組の視聴履歴を記憶部１４に保存する。（Ｓ１０３）
なお、メタ情報（後メタ情報）は、図３の８０Ａに示すように、番組の放送中に明示的に紹介された商品や場所に基づいて作成される。一方で、番組の放送中には、明示的に紹介されない商品や場所が映されるが、このような内容に関する情報は、メタ情報には含まれない。そこで、このような、番組の放送中には明示的に紹介されない商品や場所の情報を、一般視聴者７、または、ネットショッピング出店者８等の複数の情報源から提供可能とすることで、多様な情報を収集することができる。関連情報は、メタ情報、および、一般視聴者７、または、ネットショッピング出店者８から提供された提供情報に基づいて生成される。よって、関連情報には、図３の８０Ｂに示すように、番組の放送中に明示的に紹介された商品や場所の情報に加えて、番組の放送中には明示的に紹介されなかった商品や場所の情報が含まれる。
【００４８】
メタ情報（後メタ情報）、および一般視聴者７またはネットショッピング出店者８からの提供情報は、番組の放送よりも後に生成されるので、例えばユーザが当該番組放送を開始した時間から番組の視聴を開始した場合においては、ステップＳ１０３はステップＳ１０１よりも先に行われる。
【００４９】
関連情報出力部２４は記憶部２３に格納されている関連情報を、表示装置１０に送信する。（Ｓ１０４）
関連情報取得部１５は関連情報を受信し、制御部１１は関連情報を記憶部１４に格納する。（Ｓ１０５）
次いでユーザが番組の視聴を終了し、表示部１３の画面表示をＯＦＦにすることによってコンテンツ（番組）の表示を終了する操作を行う。（Ｓ１０６）
制御部１１はユーザによる画面表示の終了操作に起因して、記憶部１４に格納されている視聴履歴を参照し、関連情報がユーザが少なくとも一部を視聴した番組に関する関連情報であるか否かの判定を行う。（Ｓ１０７）
表示制御部１２は上記判定に基づき、図３の８０Ｃに示すように、記憶部１４に格納されている関連情報のうち、ユーザが少なくとも一部を視聴した番組の所定の関連情報を情報源に応じた表示態様にて表示部１３に表示する。（Ｓ１０８）
表示制御部１２は、各関連情報の情報源に応じて予め設定された表示態様によって、関連情報を表示する。表示制御部１２は、例えば、関連情報を囲むフレームの色または形、関連情報に付すマークの色、形、または数（図３の８０Ｃでは星形マークの数）、および関連情報を表示する位置等の、関連情報の情報源に応じた表示態様で、関連情報を表示部１３に表示する。なお、関連情報の情報源と、表示態様との対応を示す表示態様対応テーブルが記憶部１４に記憶されており、表示制御部１２は、この記憶部１４に記憶されている表示態様対応テーブルを参照して関連情報を表示してもよい。
【００５０】
関連情報の表示中に、ユーザが関連情報の参照等を行わない場合、所定の時間の経過後に表示制御部１２は、図３の８０Ｅのように表示部１３の画面をＯＦＦにする。また、ユーザが再度表示部１３の画面表示をＯＦＦにすることによってコンテンツ（番組）の表示を終了する操作を行った場合、すぐさま関連情報の表示を終了する構成でもよい。図３の８０Ｄに示すように関連情報の表示中にユーザが関連情報を参照する操作等を行った場合においては、表示制御部１２は所定の時間の経過後に表示部１３の画面をＯＦＦにするという当所の操作をキャンセルする。
【００５１】
上記の構成によれば、番組の放送中に明示的に紹介された商品や場所の情報に加えて、番組の放送中に明示的に紹介されていない、例えば映っただけの、商品や場所に関する関連情報を提供することができる。また、ユーザが番組の視聴を終了したタイミングで関連情報を提供できるので、番組の視聴を阻害することなく関連情報を提供できる効果を奏する。
【００５２】
＜関連情報の抽出表示例１−２＞
本例について、図３、図５及び図６に基づいて説明すれば、以下の通りである。
【００５３】
本例においては、表示装置１０ａに表示する関連情報を情報処理装置２０ａにより決定する構成例について説明する。
【００５４】
以下、図５に基づいて本例に係る表示システム１ａの構成を説明する。
【００５５】
なお便宜上、上記の例にて説明した部材と同じ機能を有する部材については、同じ符号を付記し、説明を省略する。
【００５６】
図５は本例に係る表示システム１ａの機能ブロック図である。表示装置１０ａは、図１で示す構成に加えて送信部１６を備え、情報処理装置２０ａは受信部２５ａが終了通知取得部２６を備えている。また、情報処理装置２０ａは、情報源に応じて関連情報の表示態様を決定し、関連情報に当該表示態様を示す情報を付与する態様決定部２８を備えている。
【００５７】
態様決定部２８は、関連情報生成部２２によって生成された関連情報のそれぞれの表示態様を決定する。態様決定部２８は、例えば、関連情報の情報源に応じて、関連情報を囲むフレームの色または形、関連情報に付すマークの色、形、または数（図３の８０Ｃでは星形マークの数）、および関連情報を表示する位置等の、関連情報の表示態様を決定する。態様決定部２８は、情報源に応じて決定した表示態様の情報を各関連情報に付与する。なお、関連情報の情報源と、表示態様との対応を示す表示態様対応テーブルが記憶部２３に記憶されており、態様決定部２８は、この記憶部２３に記憶されている表示態様対応テーブルを参照して関連情報を表示してもよい。
【００５８】
送信部１６は情報処理装置２０ａの受信部２５ａに対して番組の視聴履歴及び表示装置１０ａの表示部１３の画面をＯＦＦにする操作を行った旨の信号を送信する。終了通知取得部２６は上記の信号を受信し、当該表示装置１０ａの表示部１３の画面をＯＦＦにする操作が行われた旨の判定を行う。
【００５９】
次に本例における表示システム１ａの処理の流れについて図３、図５及び図６に基づき説明する。
【００６０】
図３は本例における関連情報表示の流れを示す図である。
【００６１】
図６は図３で示す処理において、ユーザが番組視聴を開始し、表示画面に関連情報が表示されるまでを示したシーケンス図であり、以下画面に関連情報が表示されるまで、図６のステップ番号ごとの説明を行う。
【００６２】
ステップＳ１０３までの処理は関連情報の抽出表示例１−１と同様である。
【００６３】
情報処理装置２０ａの態様決定部２８は、情報源に応じて関連情報の表示態様を決定し、関連情報に当該表示態様を示す情報を付与して、記憶部２３に関連情報とともに記憶させる。（Ｓ３０１）
次いでユーザが番組の視聴を終了し、表示装置１０ａの表示部１３の画面表示をＯＦＦにすることによってコンテンツ（番組）の表示を終了する操作を行う。（Ｓ１０６）
送信部はユーザによる画面表示の終了操作に起因して、情報処理装置２０ａに対して、番組の視聴履歴及び表示部１３の画面をＯＦＦにする操作を行った旨の信号を送信する。（Ｓ１０９）
情報処理装置２０ａの受信部２５ａは上記信号を受信する。（Ｓ１１０）
関連情報出力部２４は視聴履歴に基づき、記憶部２３が保持している関連情報のうち、ユーザが少なくとも一部を視聴した番組に関する関連情報のみを抽出して、表示態様を示す情報と共に表示装置１０ａに送信する。（Ｓ２０４）
関連情報取得部１５は関連情報出力部２４から送信された関連情報と、当該関連情報に付与された表示態様とを取得する。制御部１１は関連情報と表示態様を示す情報とを記憶部１４に格納する。（Ｓ２０５）
表示制御部１２は、図３の８０Ｃに示すように、関連情報をそれぞれに付与された表示態様を示す情報に基づいて、情報源に応じた表示態様にて表示部１３に表示する。（Ｓ１０８）
関連情報の表示中に、ユーザが関連情報の参照等を行わない場合、所定の時間の経過後に表示制御部１２は、図３の８０Ｅのように表示部１３の画面をＯＦＦにする。また、ユーザが再度表示部１３の画面表示をＯＦＦにする操作を行った場合、すぐさま関連情報の表示を終了する構成でもよい。図３の８０Ｄに示すように関連情報の表示中にユーザが関連情報を参照する操作等を行った場合においては、表示制御部１２は所定の時間の経過後に表示部１３の画面をＯＦＦにするという当所の操作をキャンセルする。
【００６４】
上記の構成においても関連情報の抽出表示例１−１と同様な効果を奏する。
【００６５】
＜関連情報の抽出表示例１−３＞
本例について、図３、図５及び図７に基づいて説明すれば、以下の通りである。
【００６６】
本例においては、表示装置１０ａに表示する関連情報を情報処理装置２０ａにより決定する構成例について説明する。
【００６７】
関連情報の抽出表示例１−２ではユーザが画面表示をＯＦＦにする操作を行ってから表示装置１０ａから情報処理装置２０ａに視聴履歴を送信したが、本例では所定の時間ごとに、あるいはチャンネルを変更するごとに視聴履歴を情報処理装置２０ａに送信する構成について示す。なお、本例においても表示装置１０ａは、関連情報の抽出表示例１−２の場合と同様に図５に示す構成を使用する。
【００６８】
本例における表示システム１の処理の流れについて図３及び図７に基づき説明する。図３は本例における関連情報表示の流れを示す図である。
【００６９】
図７は図３で示す処理において、ユーザが番組視聴を開始し、表示画面に関連情報が表示されるまでを示したシーケンス図であり、以下画面に関連情報が表示されるまで、図７のステップ番号ごとの説明を行う。
【００７０】
ステップＳ１０３までの処理は関連情報の抽出表示例１−２と同様である。
【００７１】
情報処理装置２０ａの態様決定部２８は、情報源に応じて関連情報の表示態様を決定し、関連情報に当該表示態様を示す情報を付与して、記憶部２３に関連情報とともに記憶させる。（Ｓ３０１）
表示装置１０ａの送信部１６は記憶部１４に格納されている視聴履歴を情報処理装置２０ａに送信する。（Ｓ１１１）
情報処理装置２０ａの受信部２５は視聴履歴を受信する。（Ｓ１１２）
制御部２１は視聴履歴に基づき、記憶部２３に格納されている関連情報が、ユーザが少なくとも一部を視聴した番組に関する関連情報であるか否かの判定を行う。
【００７２】
関連情報出力部２４は視聴履歴に基づき、記憶部２３が保持している関連情報のうち、ユーザが少なくとも一部を視聴した番組に関する関連情報のみを抽出して、表示態様を示す情報と共に表示装置１０ａに送信する。（Ｓ２０４）
表示装置１０ａの関連情報取得部１５は関連情報出力部２４から送信された関連情報と、当該関連情報に付与された表示態様とを取得する。制御部１１は関連情報と表示態様を示す情報とを記憶部１４に格納する。（Ｓ２０５）
ユーザが所定の番組の視聴を終了するまで、所定の時間ごとに、あるいはチャンネルを変更するごとにステップＳ１１１からステップＳ３０５までの工程を繰り返す。
【００７３】
次いでユーザが番組の視聴を終了し、表示装置１０の表示部１３の画面表示をＯＦＦにすることによってコンテンツ（番組）の表示を終了する操作を行う。（Ｓ１０６）
表示制御部１２は、図３の８０Ｃに示すように、関連情報を、それぞれに付与された表示態様を示す情報に基づいて、情報源に応じた表示態様にて表示部１３に表示する。（Ｓ１０８）
表示部１３には、関連情報が、それぞれの情報源に応じた、フレームの色または形、関マークの色、形、または数（図３の８０Ｃでは星形マークの数）、および表示位置等の表示態様で表示される。
【００７４】
関連情報の表示中に、ユーザが関連情報の参照等を行わない場合、所定の時間の経過後に表示制御部１２は、図３の８０Ｅのように表示部１３の画面をＯＦＦにする。また、ユーザが再度表示部１３の画面表示をＯＦＦにする操作を行った場合、すぐさま関連情報の表示を終了する構成でもよい。図３の８０Ｄに示すように関連情報の表示中にユーザが関連情報を参照する操作等を行った場合においては、表示制御部１２は所定の時間の経過後に表示部１３の画面をＯＦＦにするという当所の操作をキャンセルする。
【００７５】
上記の構成においても関連情報の抽出表示例１−１と同様な効果を奏する。
【００７６】
＜関連情報の抽出表示例１に係る付記事項＞
上記の各例では、ユーザによる画面表示の終了操作に起因して、表示画面に関連情報を表示したが、本願発明は上記の構成に限定されない。例えば入力モードを切り替えること等によって視聴中のコンテンツ表示を終了する操作、即ち視聴するコンテンツを切り替える操作に起因して、表示画面に関連情報を表示する構成でも構わない。
【００７７】
＜関連情報の抽出表示例２＞
本例について、図１及び図８に基づいて説明すれば、以下の通りである。
【００７８】
本例においては、関連情報を取得したことに起因して、関連情報又は関連情報を取得した旨の情報を提供する表示装置１０の構成例について説明する。
【００７９】
本例においても関連情報の抽出表示例１−１の場合と同様に図１に示す構成を使用する。
【００８０】
次に本例における表示システム１の処理の流れについて図１及び図８に基づき説明する。
【００８１】
図８は本例における関連情報表示の流れを示す図である。
【００８２】
情報処理装置２０が備えている受信部２５は、メタ情報配信装置２、一般視聴者７、および、ネットショッピング出店者８を含む複数の情報源から情報を受信する。関連情報生成部２２は、これらの複数の情報源からの情報を参照し、放送中または放送後の番組に関連した関連情報を生成する。なお、関連情報生成部２２によって生成された関連情報のそれぞれには、情報源を示す情報が含まれている。制御部２１は関連情報生成部２２が生成した関連情報を記憶部２３に格納する。
【００８３】
表示装置１０の電源がＯＮである場合、つまり、表示部１３に画面が表示されておらずとも、表示装置１０の主電源が付いている場合に、関連情報取得部１５は情報処理装置２０の関連情報出力部２４から随時、情報源に係る情報を含む関連情報を取得する。ユーザが所定の番組の視聴を行う場合、表示制御部１２は、図８の８１Ａに示すように表示部１３に当該番組の映像の表示を開始し、制御部１１は当該番組の視聴履歴を記憶部１４に保存する。制御部１１は記憶部１４に保存された視聴履歴を参照し、情報処理装置２０から取得した関連情報がユーザが少なくとも一部を視聴した番組に関する関連情報であるか否かの判定を行う。関連情報がユーザが少なくとも一部を視聴した番組に関する関連情報であった場合には、上記判定に基づき、表示制御部１２は関連情報、または図８の８１Ｂのように関連情報を取得した旨の情報を表示部１３に表示する。関連情報または関連情報を取得した旨の情報を表示する場合には通常、表示部１３の一部、例えば画面の隅に上記情報を表示する。
【００８４】
表示制御部１２がユーザが少なくとも一部を視聴した番組に関する関連情報を表示部１３に表示するのは、上記関連情報１件ごとに限定されない。例えば表示部１３に表示できる最大数の関連情報が記憶部１４に蓄積するごとに、表示制御部１２が上記関連情報を表示部１３に表示する構成であっても構わない。番組毎のデータが揃う毎に、または、一定の時間毎に表示する構成でも構わない。
【００８５】
次いでユーザがリモコン等で上記情報を選択した場合には、表示制御部１２は、図８の８１Ｃに示すように関連情報を情報源に応じた表示態様にて表示部１３の画面全体に表示する。表示部１３には、関連情報が、それぞれの情報源に応じた、フレームの色または形、関マークの色、形、または数（図３の８０Ｃでは星形マークの数）、および表示位置等の表示態様で表示される。
【００８６】
上記の構成によれば、番組の視聴を極力阻害せずに、ユーザが少し前に観ていた番組の関連情報を提供できる効果を奏する。
【００８７】
＜関連情報の抽出表示例２に係る付記事項＞
本例においても表示装置１０が視聴履歴を送信する送信部１６を備え、情報処理装置２０において、ユーザが少なくとも一部を視聴した番組に関する関連情報のみ関連情報出力部２４から関連情報取得部１５へ送信されるという構成であっても構わない。
【００８８】
また、関連情報取得部１５が上記関連情報を取得して即時に表示部１３に表示せずとも、番組毎のデータがそろうまで、一定の時間が経過するまで、一定の時刻になるまで、表示部に表示できる最大数の情報がそろうまで、又はコマーシャルメッセージの開始まで上記表示の開始を待機するという構成でもよい。また、関連情報を一定の時間が経過する毎に表示する構成でもよい。
【００８９】
また、画面を起動するだけでなく、ＬＥＤでの情報取得通知や音声によるアナウンス、
リモコンのバイブレーション機能などを、ユーザへの通知手段としてもよい。
【００９０】
＜関連情報の抽出表示例３＞
本例について、図１及び図９に基づいて説明すれば、以下の通りである。
【００９１】
本例においては、表示装置１０の主電源は付いているが表示画面は表示されていない場合に関連情報を取得したことに起因して画面を表示し、関連情報を表示する表示装置１０の構成例について説明する。なお、上記の（表示）画面について補足すると、上記画面が表示されていない状態とは、画面が表示装置１０の主電源が付いていない場合と同様の状態であり、画面が表示されている状態とは、画面に動画像が表示されている状態又は画面表示に用いるバックライト又は表示素子自体が点灯又は発光している状態を意味する。
【００９２】
本例においても関連情報の抽出表示例１−１の場合と同様に図１に示す構成を使用する。
【００９３】
次に本例における表示システム１の処理の流れについて図１及び図９に基づき説明する。
【００９４】
図９は本例における関連情報表示の流れを示す図である。
【００９５】
情報処理装置２０が備えている受信部２５は、メタ情報配信装置２、一般視聴者７、および、ネットショッピング出店者８を含む複数の情報源から情報を受信する。関連情報生成部２２は、これらの複数の情報源からの情報を参照し、放送中または放送後の番組に関連した関連情報を生成する。なお、関連情報生成部２２によって生成された関連情報のそれぞれには、情報源を示す情報が含まれている。制御部２１は関連情報生成部２２が生成した関連情報を記憶部２３に格納する。
【００９６】
ユーザが所定の番組の視聴を行う場合、表示制御部１２は、図９の８２Ａに示すように、表示部１３に当該番組の映像の表示を開始し、制御部１１は当該番組の視聴履歴を記憶部１４に保存する。次いでユーザが番組の視聴を終了し、表示部１３の画面をＯＦＦにする操作を行う。上記操作後においても記憶部１４に保存された視聴履歴は消去されない。
【００９７】
表示装置１０においては、表示部１３に画面が表示されておらずとも、表示装置１０の主電源が付いていれば関連情報取得部１５は情報処理装置２０の関連情報出力部２４から随時、情報源に係る情報を含む関連情報を取得する。制御部は記憶部１４に格納されている表示装置１０による視聴履歴を参照し、関連情報がユーザが少なくとも一部を視聴した番組に関する関連情報であった場合には、表示制御部１２は、図９の８３Ｃのように、表示部１３の画面表示をＯＮにし、関連情報を情報源に応じた表示態様にて表示部１３に表示する。表示部１３には、関連情報が、それぞれの情報源に応じた、フレームの色または形、関マークの色、形、または数（図３の８０Ｃでは星形マークの数）、および表示位置等の表示態様で表示される。
【００９８】
表示制御部１２がユーザが少なくとも一部を視聴した番組に関する関連情報を表示部１３に表示するのは、上記関連情報１件ごとに限定されない。例えば表示部１３に表示できる最大数の関連情報が記憶部１４に蓄積するごとに、表示制御部１２が上記関連情報を表示部１３に表示する構成であっても構わない。番組毎のデータが揃う毎に、または、一定の時間毎に表示する構成でも構わない。
【００９９】
上記の構成によれば、関連情報の取得に起因して自動的に表示部１３の画面が表示し、関連情報を表示するのでユーザが表示画面の画面を表示していない場合においてもユーザに即時性の高い情報を提供できる効果を奏する。
【０１００】
＜関連情報の抽出表示例３に係る付記事項＞
本例においても表示装置１０が視聴履歴を送信する送信部１６を備え、情報処理装置２０において、ユーザが少なくとも一部を視聴した番組に関する関連情報のみ関連情報出力部２４から関連情報取得部１５へ送信されるという構成であっても構わない。
【０１０１】
表示制御部１２がユーザが少なくとも一部を視聴した番組に関する関連情報を表示部１３に表示するのは、上記関連情報１件ごとに限定されない。例えば表示部１３に表示できる最大数の関連情報が記憶部１４に蓄積するごとに、表示制御部１２が上記関連情報を表示部１３に表示する構成であっても構わない。
【０１０２】
また、関連情報取得部１５が上記関連情報を取得して即時に表示部１３に表示せずとも、番組毎のデータがそろうまで、一定の時間が経過するまで、一定の時刻になるまで、表示部に表示できる最大数の情報がそろうまで、又はコマーシャルメッセージの開始まで上記表示の開始を待機するという構成でもよい。また、関連情報を一定の時間が経過する毎に表示する構成でもよい。
【０１０３】
また、画面を起動するだけでなく、ＬＥＤでの情報取得通知や音声によるアナウンス、
リモコンのバイブレーション機能などを、ユーザへの通知手段としてもよい。
【０１０４】
＜関連情報の抽出表示例４−１＞
本例について、図１、図１０及び図１１に基づいて説明すれば、以下の通りである。
【０１０５】
本例においては、画面表示の開始に起因して関連情報を表示する表示装置１０の構成例について説明する。
【０１０６】
本例においても図１に示す構成を使用する。
【０１０７】
次に本例における表示システム１の処理の流れについて図１、図１０及び図１１に基づき説明する。
【０１０８】
図１０は本例における関連情報表示の流れを示す図である。
【０１０９】
図１１は図１０で示す処理において、ユーザが番組視聴を開始し、表示画面に関連情報が表示されるまでを示したシーケンス図であり、以下画面に関連情報が表示されるまで、図１１のステップ番号ごとの説明を行う。
【０１１０】
ステップＳ１０３までの処理は関連情報の抽出表示例１−１と同様である。
【０１１１】
ユーザが番組の視聴を開始して以降、情報処理装置２０の関連情報出力部２４から表示装置１０の関連情報取得部１５に随時、情報源に係る情報を含む各種番組の関連情報が送信される。（Ｓ１０４）
制御部１１は関連情報取得部１５が取得した情報源に係る情報を含む関連情報を記憶部１４に格納する。（Ｓ１０５）
次いでユーザが番組の視聴を終了し、表示部１３の画面表示をＯＦＦにする操作を行う。上記操作後においても記憶部１４に保存された視聴履歴は消去されない。（Ｓ１０６）
表示装置１０の主電源が付いていれば表示部１３の画面表示がＯＦＦであっても、関連情報取得部１５は関連情報出力部２４から各種番組の関連情報を随時取得する。
【０１１２】
再度ユーザが所定の番組の視聴を行う場合、表示制御部１２による表示部１３の画面表示をＯＮにする。（Ｓ１１３）
上記画面表示の開始に起因して制御部１１は記憶部１４に格納されている視聴履歴を参照し、関連情報がユーザが少なくとも一部を視聴した番組に関する関連情報であるか否かの判定を行う。（Ｓ１０７）
表示制御部１２は、図１０の８３Ｃに示すように、上記判定に基づき記憶部１４に格納されている関連情報のうち、ユーザが少なくとも一部を視聴した番組の所定の関連情報を情報源に応じた表示態様にて表示部１３に表示する。（Ｓ１０８）
表示部１３には、関連情報が、それぞれの情報源に応じた、フレームの色または形、関マークの色、形、または数（図１０の８３Ｃでは星形マークの数）、および表示位置等の表示態様で表示される。
【０１１３】
関連情報の表示中に、ユーザが関連情報の参照を行わない場合、所定の時間の経過後に表示制御部１２は番組映像を表示部１３に表示する。
【０１１４】
上記の構成によれば、表示装置１０を使用する場合にユーザが前回までに視聴していた番組の関連情報をすぐさま表示することができる効果を奏する。また、時間帯や曜日に応じた関連情報を表示することができる効果を奏する。
【０１１５】
＜関連情報の抽出表示例４−２＞
本例について、図１０、図１２及び図１３に基づいて説明すれば、以下の通りである。
【０１１６】
本例においては、表示装置１０ａに表示する関連情報を情報処理装置２０ｂにより決定する例の構成例について説明する。
【０１１７】
図１２に基づいて本例に係る表示システム１ｂの構成を説明する。
【０１１８】
なお便宜上、上記の例にて説明した部材と同じ機能を有する部材については、同じ符号を付記し、説明を省略する。
【０１１９】
図１２は本例に係る表示システム１ｂの機能ブロック図である。表示装置１０ａは、図１で示す構成に加えて送信部１６を備え、情報処理装置２０ｂは受信部２５ｂが開始通知取得部２７を備えている。また、情報処理装置２０ａは、情報源に応じて関連情報の表示態様を決定し、関連情報に当該表示態様を示す情報を付与する態様決定部２８を備えている。
【０１２０】
送信部１６は情報処理装置２０ｂの受信部２５ｂに対して番組の視聴履歴及び表示装置１０ａの表示部１３の画面をＯＮにする操作を行った旨の信号を送信する。開始通知取得部２７は上記の信号を受信し、当該表示装置１０ａの表示部１３の画面をＯＮにする操作が行われた旨の判定を行う。
【０１２１】
次に本例における表示システム１ｂの処理の流れについて図１０、図１２及び図１３に基づき説明する。
【０１２２】
図１０は本例における関連情報表示の流れを示す図である。
【０１２３】
図１３は図１０で示す処理において、ユーザが番組視聴を開始し、表示画面に関連情報が表示されるまでを示したシーケンス図であり、以下画面に関連情報が表示されるまで、図１３のステップ番号ごとの説明を行う。
【０１２４】
ステップS１０３からステップＳ１１２までの処理は関連情報の抽出表示例１−３と同様である。
【０１２５】
次いでユーザが番組の視聴を終了し、表示部１３の画面表示をＯＦＦにする操作を行う。（Ｓ１０６）上記操作後においても記憶部１４に保存された視聴履歴は消去されない。
【０１２６】
再度ユーザが所定の番組の視聴を行う場合、表示制御部１２による表示部１３の画面表示をＯＮにする。（Ｓ１１３）
画面表示の開始に起因して、送信部１６は情報処理装置２０ｂに対して、ユーザが番組の表示部１３の画面をＯＮにする操作を行った旨の信号を送信する。（Ｓ１１４）
情報処理装置２０ｂの開始通知取得部２７は上記信号を受信する。（Ｓ１１５）
関連情報出力部２４は視聴履歴に基づき、記憶部２３が保持している関連情報のうち、ユーザが少なくとも一部を視聴した番組に関する関連情報のみを抽出して、表示態様を示す情報と共に表示装置１０ａに送信する。（Ｓ２０４）
表示装置１０ａの関連情報取得部１５は関連情報出力部２４から送信された関連情報と、当該関連情報に付与された表示態様とを取得する。制御部１１は関連情報と表示態様を示す情報とを記憶部１４に格納する。（Ｓ２０５）
表示制御部１２は、図１０の８３Ｃに示すように、関連情報をそれぞれに付与された表示態様を示す情報に基づいて、情報源に応じた表示態様にて表示部１３に表示する。（Ｓ１０８）
表示部１３には、関連情報が、それぞれの情報源に応じた、フレームの色または形、関マークの色、形、または数（図１０の８３Ｃでは星形マークの数）、および表示位置等の表示態様で表示される。
【０１２７】
上記の構成においても関連情報の抽出表示例４−１と同様な効果を奏する。
【０１２８】
＜関連情報の抽出表示例４−３＞
本例について、図１０、図１４及び図１５に基づき説明すれば、以下の通りである。
【０１２９】
本例においては、表示装置１０に表示する関連情報を情報処理装置２０ｃにより決定する例の構成例について説明する。
【０１３０】
図１４に基づいて本例に係る表示システム１ｃの構成を説明する。
【０１３１】
なお便宜上、上記の例にて説明した部材と同じ機能を有する部材については、同じ符号を付記し、説明を省略する。
【０１３２】
図１４は本例に係る表示システム１ｃの機能ブロック図である。情報処理装置２０ｃは情報源に応じて関連情報の表示態様を決定し、関連情報に当該表示態様を示す情報を付与する態様決定部２８を備えている。
【０１３３】
次に本例における表示システム１ｃの処理の流れについて図１０、図１４及び図１５に基づき説明する。
【０１３４】
図１０は本例における関連情報表示の流れを示す図である。
【０１３５】
図１５は図１０で示す処理において、ユーザが番組視聴を開始し、表示画面に関連情報が表示されるまでを示したシーケンス図であり、以下画面に関連情報が表示されるまで、図１５のステップ番号ごとの説明を行う。
【０１３６】
ステップＳ２０５までの処理は関連情報の抽出表示例１−３と同様である。
【０１３７】
ユーザが所定の番組の視聴を終了するまで、所定の時間ごとに、あるいはチャンネルを変更するごとにステップＳ１１１からステップＳ２０５までの工程を繰り返す。
【０１３８】
次いでユーザが番組の視聴を終了し、表示部１３の画面表示をＯＦＦにする操作を行う。上記操作後においても記憶部１４に保存された視聴履歴は消去されない。（Ｓ１０６）
表示装置１０の主電源が付いていれば、表示部１３の画面表示がＯＦＦであっても、関連情報取得部１５は関連情報出力部２４から各種番組の関連情報を随時取得する。
【０１３９】
再度ユーザが所定の番組の視聴を行う場合、表示制御部１２による表示部１３の画面表示をＯＮにする。（Ｓ１１３）
画面表示の開始に起因して、表示制御部１２は、図１０の８３Ｃに示すように、関連情報をそれぞれに付与された表示態様を示す情報に基づいて、情報源に応じた表示態様にて表示部１３に表示する。（Ｓ１０８）
表示部１３には、関連情報が、それぞれの情報源に応じた、フレームの色または形、関マークの色、形、または数（図１０の８３Ｃでは星形マークの数）、および表示位置等の表示態様で表示される。
【０１４０】
上記の構成においても関連情報の抽出表例４−１と同様な効果を奏する。
【０１４１】
＜関連情報の抽出表示例５＞
本例について、図１６に基づいて説明すれば、以下の通りである。
【０１４２】
本例においては、ユーザの任意のタイミングで関連情報を表示する表示装置１０ｄの構成例について説明する。
【０１４３】
図１６に基づいて本例に係る表示システム１ｄの構成を説明する。
【０１４４】
なお便宜上、上記の例にて説明した部材と同じ機能を有する部材については、同じ符号を付記し、説明を省略する。
【０１４５】
図１６は、表示システム１ｄの機能ブロック図である。表示装置１０ｄは関連情報の抽出表示例１−１に係る図１で示す構成に加えてユーザ信号取得部１７を備えている。ユーザ信号取得部は、ユーザが関連情報の参照を希望するという旨の信号及びユーザが関連情報の表示の終了を希望する旨の信号を取得する。上記信号はリモコンから、あるいは表示装置１０ｄに対する直接の操作により発せられる。
【０１４６】
次に本例における表示システム１ｄの処理の流れについて図１６に基づき説明する。
【０１４７】
情報処理装置２０が備えている受信部２５は、メタ情報配信装置２、一般視聴者７、および、ネットショッピング出店者８を含む複数の情報源から情報を受信する。関連情報生成部２２は、これらの複数の情報源からの情報を参照し、放送中または放送後の番組に関連した関連情報を生成する。なお、関連情報生成部２２によって生成された関連情報のそれぞれには、情報源を示す情報が含まれている。制御部２１は関連情報生成部２２が生成した関連情報を記憶部２３に格納する。
【０１４８】
ユーザが所定の番組の視聴を行う場合、表示制御部１２が表示部１３に当該番組の映像の表示を開始し、制御部は当該番組の視聴履歴を記憶部１４に保存する。関連情報出力部２４は記憶部２３に格納されている、情報源を示す情報が含まれている関連情報を関連情報取得部１５に送信する。制御部は関連情報取得部１５が取得した情報源を示す情報を含む関連情報を記憶部１４に格納する。
【０１４９】
ユーザが任意のタイミングで例えばリモコンを使用し、関連情報を参照したい旨の信号を表示装置１０ｄに送信する。ユーザ信号取得部が上記信号を取得すると、制御部１１は記憶部１４に格納されている視聴履歴と関連情報を参照し、関連情報がユーザが少なくとも一部を視聴した番組に関した関連情報であるか否かの判定を行う。表示制御部１２はユーザが少なくとも一部を視聴した関連情報のみを、当該関連情報の情報源に応じた表示態様にて表示部１３に表示する。表示部１３には、関連情報が、それぞれの情報源に応じた、フレームの色または形、関マークの色、形、または数（図３の８０Ｃでは星形マークの数）、および表示位置等の表示態様で表示される。
【０１５０】
また、所定の時間の経過により、あるいは例えばリモコンにより、ユーザ信号取得部１７に対して関連情報を終了させる旨の信号を送信することによって表示制御部１２は表示部１３への関連情報の表示を終了し、元の番組映像の表示に戻る。
【０１５１】
上記の構成によれば、表示装置１０ｄが受信して蓄積した関連情報を任意のタイミングで確認することができる。
【０１５２】
＜関連情報の抽出表示例５に係る付記事項＞
本例においても表示装置１０が視聴履歴を送信する送信部１６を備え、情報処理装置２０において、ユーザが少なくとも一部を視聴した番組に関する関連情報のみ関連情報出力部２４から関連情報取得部１５へ送信されるという構成であっても構わない。なお、この場合には、情報処理装置２０が関連情報の表示態様を決定する態様決定部２８を備え、関連情報出力部２４から関連情報取得部１５へ、関連情報とともに、当該関連情報に付与された表示態様を示す情報が送信される。
【０１５３】
また、本例における関連情報の表示に関して、以前ユーザが閲覧したことのある関連情報を表示するモードを搭載する構成でもよい。
【０１５４】
＜関連情報の抽出表示例＞
本例について、図１６および図１７に基づいて説明すれば、以下の通りである。
【０１５５】
本例においては、画面表示の終了に起因して、ユーザの「いいね」ボタンに対する操作に基づく関連情報を表示する表示装置の構成例について説明する。
【０１５６】
本例においても図１６に示す構成を使用する。ユーザ信号取得部１７は、ユーザが任意の商品およびスポットの関連情報を希望するという旨の信号を取得する。上記信号はリモコン、または表示装置１０ｄに対する直接の操作により発せられる。
【０１５７】
次に本例における表示システム１ｄの処理の流れについて図１６および図１７に基づき説明する。
【０１５８】
図１７は本例における関連情報表示の流れを示す図である。
【０１５９】
情報処理装置２０が備えている受信部２５は、メタ情報配信装置２、一般視聴者７、および、ネットショッピング出店者８を含む複数の情報源から情報を受信する。関連情報生成部２２は、これらの複数の情報源からの情報を参照し、放送中または放送後の番組に関連した関連情報を生成する。なお、関連情報生成部２２によって生成された関連情報のそれぞれには、情報源を示す情報が含まれている。制御部２１は関連情報生成部２２が生成した関連情報を記憶部２３に格納する。
【０１６０】
ユーザが所定の番組の視聴を行う場合、表示制御部１２は、図１７の８４Ａに示すように、表示部１３に当該番組の映像の表示を開始し、制御部１１は当該番組の視聴履歴を記憶部１４に保存する。
【０１６１】
関連情報出力部２４は記憶部２３に格納されている、情報源を示す情報が含まれている関連情報を、関連情報取得部１５に送信する。制御部１１は関連情報取得部１５が取得した情報源を示す情報が含まれている関連情報を記憶部１４に格納する。
【０１６２】
表示装置１０は、ユーザが表示部１３に表示されている商品に興味を持った場合に、ユーザの反応を捉えることができる。一例として、表示装置１０のリモコンが「いいね」ボタンを備え、ユーザは当該「いいね」ボタンを押下することで、表示装置１０に対して、商品に興味を持っていることを伝えることができる。また、他の例として、ユーザが発声し、マイク３１がユーザの発声を集音することで、表示装置１０に対して、商品に興味を持っていることを伝えることができる。
【０１６３】
図１６の８４Ｂに示す例のように、放送中の番組で関連情報を参照したい商品またはスポットが映されたタイミングでユーザが例えばリモコンの「いいね」ボタンを押下する操作を行って、商品またはスポットの関連情報を参照したい旨の信号を表示装置１０ｄに送信する。ユーザ信号取得部１７が上記信号を取得すると、制御部１１は「いいね」ボタンが押下された商品またはスポットを特定するための情報、例えばタイムスタンプおよび番組の情報、を記憶部１４に保存する。
【０１６４】
次いでユーザが番組の視聴を終了し、表示部１３の画面表示をＯＦＦにすることによってコンテンツ（番組）の表示を終了する操作を行う。制御部１１は、ユーザによる画面表示の終了操作に起因して、記憶部１４に格納されている視聴履歴を参照し、関連情報がユーザが少なくとも一部を視聴した番組に関する関連情報であるか否かの判定を行う。また制御部１１は記憶部１４に格納されているユーザが「いいね」をした商品またはスポットを特定するための情報を参照して関連情報から、ユーザが参照を希望する関連情報を抽出する。表示制御部１２は制御部１１が抽出した関連情報を情報源に応じた表示態様にて表示部１３に表示する。
【０１６５】
表示部１３には、関連情報が、それぞれの情報源に応じた、フレームの色または形、関マークの色、形、または数（図１７の８４Ｃでは星形マークの数）、および表示位置等の表示態様で表示される。
【０１６６】
関連情報の表示中に関連情報の参照等を行わない場合、所定の時間の経過後に表示制御部１２は、図１７の８４Ｅのように表示部１３の画面をＯＦＦにする。図１７の８４Ｄに示すように関連情報の表示中にユーザが関連情報を参照する操作等を行った場合においては、表示制御部１２は所定の時間の経過後に表示部１３の画面をＯＦＦにするという当所の操作をキャンセルする。
【０１６７】
上記の構成によれば、番組の放送中に明示的に紹介されていない、例えば映っただけの、商品や場所に関する関連情報であって、ユーザが「いいね」ボタンを押下する等の操作によって関連情報を参照することを望んでいる情報を提供することができる。
【０１６８】
＜関連情報の抽出表示例＞
本例においても表示装置１０ｄが視聴履歴を送信する送信部１６を備え、情報処理装置２０において、ユーザが少なくとも一部を視聴した番組に関する関連情報のみ関連情報出力部２４から関連情報取得部１５へ送信されるという構成であっても構わない。なお、この場合には、情報処理装置２０が関連情報の表示態様を決定する態様決定部２８を備え、関連情報出力部２４から関連情報取得部１５へ、関連情報とともに、当該関連情報に付与された表示態様を示す情報が送信される。
【０１６９】
また、表示装置１０ｄの送信部１６からユーザが「いいね」をした商品またはスポットを特定する情報が情報処理装置２０に送信され、ユーザが「いいね」をした商品またはスポットに関する関連情報が関連情報出力部２４から関連情報取得部１５へ送信されるという構成であっても構わない。
【０１７０】
また、情報処置装置２０が、送信部１６を備えた複数のテレビジョン受像機３ｃのそれぞれからユーザが「いいね」をした商品またはスポットを特定する情報を受信し、「いいね」の数が多い商品またはスポットに関する関連情報を、複数のテレビジョン受像機３ｃのそれぞれに送信する構成であってもよい。
【０１７１】
＜上記各例に係る付記事項＞
上記の各例において、表示装置（１０、１０ａ又は１０ｄ）がカメラ及びユーザ識別部を備え、制御部１１が上記ユーザ識別部の識別結果を参照し、ユーザごとに少なくとも一部を視聴した番組に関する関連情報を制御してもよい。
【０１７２】
また、上記の各例における記載は、表示画面に表示する関連情報は、必ずしもユーザが少なくとも一部を視聴した番組に関連した関連情報でなければならないということを意味しない。例えばユーザが視聴した番組と類似するジャンルの番組に関連した関連情報を表示画面に表示させる構成であってもよい。
【０１７３】
〔ソフトウェアによる実現例〕
表示装置１０の制御ブロック（特に関連情報取得部１５及び表示制御部１２）は、集積回路（ＩＣチップ）等に形成された論理回路（ハードウェア）によって実現してもよいし、ソフトウェアによって実現してもよい。
【０１７４】
後者の場合、表示装置１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Centrａl Processing Unit）を用いることができる。上記記録媒体としては、「一時的でない有形の媒体」、例えば、ＲＯＭ（Reａd Only Memory）等の他、テープ、ディスク、カード、半導体メモリ、プログラマブルな論理回路などを用いることができる。また、上記プログラムを展開するＲＡＭ（Rａndom Ａccess Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１７５】
〔まとめ〕
本発明の態様１に係る表示装置１０は、番組の放送中又は放送後に当該番組の放送内容に基づいて生成された関連情報を取得する関連情報取得部１５を備え、上記関連情報の情報源は複数存在し、上記情報源に応じた表示態様にて関連情報を表示部１３に表示させる表示制御部１２を更に備えている構成である。
【０１７６】
本発明の態様２に係る表示装置１０は、上記の態様１において、上記関連情報とは、ユーザが少なくとも一部を視聴した番組に関する関連情報である構成としてもよい。
【０１７７】
本発明の態様３に係る表示装置１０は、上記の態様１または２において、上記表示制御部１２は、画面表示の終了に起因して上記関連情報を表示部１３に表示させる構成としてもよい。
【０１７８】
本発明の態様４に係る表示装置１０は、上記の態様１または２において、上記表示制御部１２は、上記関連情報を取得したことに起因して、上記関連情報又は上記関連情報を取得した旨の情報を表示部１３に表示させる構成としてもよい。
【０１７９】
本発明の態様５に係る表示装置１０は、上記の態様１または２において、上記表示制御部１２は、上記関連情報を取得したことに起因して画面を表示し、上記関連情報を表示部１３に表示させる構成としてもよい。
【０１８０】
本発明の態様６に係る表示装置１０は、上記の態様１または２において、上記表示制御部１２は、画面表示の開始に起因して上記関連情報を表示部１３に表示させる構成としてもよい。
【０１８１】
本発明の態様７に係るテレビジョン受像機３は、上記の態様１から６の何れか１つの表示装置１０を備えている構成としてもよい。
【０１８２】
本発明の態様８に係る情報処理装置２０は、番組の放送中又は放送後に当該番組の放送内容に基づいて生成された関連情報を記憶する記憶部２３を備え、上記関連情報の情報源は複数存在し、上記情報源に応じて上記関連情報の表示態様を決定し、上記関連情報に上記表示態様を示す情報を付与する態様決定部２８と上記表示態様を示す情報が付された関連情報を上記表示装置１０に出力する関連情報出力部２４とを更に備えている構成である。
【０１８３】
本発明の各態様に係る表示装置１０は、コンピュータによって実現してもよく、この場合には、コンピュータを上記表示装置１０が備えている各部（ソフトウェア要素）として動作させることにより上記表示装置１０をコンピュータにて実現させる表示装置１０の制御プログラム、およびそれを記録したコンピュータ読み取り可能な記録媒体も、本発明の範疇に入る。
【０１８４】
本発明は上述した各実施例に限定されるものではなく、請求項に示した範囲で種々の変更が可能であり、異なる実施例にそれぞれ開示された技術的手段を適宜組み合わせて得られる実施例についても本発明の技術的範囲に含まれる。さらに、各実施例にそれぞれ開示された技術的手段を組み合わせることにより、新しい技術的特徴を形成することができる。
【符号の説明】
【０１８５】
１、１ａ、１ｂ、１ｃ  表示システム
２  メタ情報配信装置
３、３ａ、３ｃ  テレビジョン受像機
７  一般視聴者
８  ネットショッピング出店者
１０、１０ａ、１０ｃ  表示装置
１１、２１  制御部
１２  表示制御部
１３  表示部
１４、２３  記憶部
１５  関連情報取得部
２０、２０ａ、２０ｂ  情報処理装置
２２  関連情報生成部
２４  関連情報出力部
【図１】
2019047322.tif 000003
【図２】
2019047322.tif 000004
【図３】
2019047322.tif 000005
【図４】
2019047322.tif 000006
【図５】
2019047322.tif 000007
【図６】
2019047322.tif 000008
【図７】
2019047322.tif 000009
【図８】
2019047322.tif 000010
【図９】
2019047322.tif 000011
【図１０】
2019047322.tif 000012
【図１１】
2019047322.tif 000013
【図１２】
2019047322.tif 000014
【図１３】
2019047322.tif 000015
【図１４】
2019047322.tif 000016
【図１５】
2019047322.tif 000017
【図１６】
2019047322.tif 000018
【図１７】
2019047322.tif 000019
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
番組の放送中又は放送後に当該番組の放送内容に基づいて生成された関連情報を取得する関連情報取得部を備え、
上記関連情報の情報源は複数存在し、
上記情報源に応じた表示態様にて関連情報を表示部に表示させる表示制御部を更に備え、
上記表示制御部は、画面表示の終了操作に起因して上記関連情報を上記表示部に表示させる
ことを特徴とする表示装置。
【請求項２】
上記関連情報とは、ユーザが少なくとも一部を視聴した番組に関する関連情報であることを特徴とする請求項１に記載の表示装置。
【請求項３】
請求項１又は２に記載の表示装置を備えていることを特徴とするテレビジョン受像機。
【請求項４】
請求項１又は２に記載の表示装置と、
上記関連情報を出力する情報処理装置と、
を備えた表示システム。
【請求項５】
請求項１又は２に記載の表示装置としてコンピュータを機能させるための制御プログラムであって、上記関連情報取得部及び上記表示制御部としてコンピュータを機能させるための制御プログラム。
【請求項６】
請求項５に記載の制御プログラムを記録したコンピュータ読み取り可能な記録媒体。